(57)【要約】【課題】ドア枠とドアのヒンジ側の隙間に簡単な形状の治具を挟み込むことで、この隙間に容易に取付け、取外すことができ、しかもこの隙間から外れづらく、ドアの開状態を確実に維持する。【解決手段】ドア２を開けた際に形成されるドア２の縦方向の端縁と、ドア枠４の縦方向の端縁の隙間の間隔より薄い板状のストッパー本体５と、ストッパー本体５に形成した、ドア枠４の端縁に接し、固定する第１固定部６と、ストッパー本体５の第１固定部６の対角位置に形成した、ドア２の端縁に接し、固定する第２固定部７と、から成り、ドア２とドア枠４の隙間に、ストッパー本体５を縦向きに差し込み、差し込んだ状態で水平に回転させ、第１固定部６をドア枠４の端縁に、第２固定部７をドア２の端縁にそれぞれに密着固定させ得るように構成した。【選択図】図３
2011058336.tif 000002
【特許請求の範囲】
【請求項１】
ドア（２）開閉を支持するヒンジ（３）側のドア枠（４）とドア（２）との隙間に、挟み込むドアストッパー（１）であって、
前記ドア（２）を開けた際に形成される該ドア（２）の縦方向の端縁と、前記ドア枠（４）の縦方向の端縁の隙間の間隔より薄い板状のストッパー本体（５）と、
前記ストッパー本体（５）に形成した、前記ドア枠（４）の端縁に接し、固定する第１固定部（６）と、
前記ストッパー本体（５）の第１固定部（６）の対角位置に形成した、前記ドア（２）の端縁に接し、固定する第２固定部（７）と、から成り、
前記ドア（２）とドア枠（４）の隙間に、前記ストッパー本体（５）を縦向きに差し込み、差し込んだ状態で水平に回転させ、該第１固定部（６）をドア枠（４）の端縁に、第２固定部（７）をドア（２）の端縁にそれぞれに密着固定させ得るように構成した、ことを特徴とするドアストッパー。
【請求項２】
前記ストッパー本体（５）に、可動自在に軸支した可動棒状部材（３３）を、該軸支部（３４）の弾性材により前記ドア（２）又はドア枠（４）の端縁に向けて付勢し、該可動棒状部材（３３）とこれが接するドア（２）又はドア枠（４）との摩擦力で該ストッパー本体（５）の落下を防止する落下防止構造（３２）を設けた、ことを特徴とする請求項１のドアストッパー。
【請求項３】
前記ストッパー本体（５）の固定部（６，７）に、前記ドア枠（４）の端縁に接する面に、出没自在になりかつ突出長を調節し得る調節用ボス（４２）を設けた、ことを特徴とする請求項１のドアストッパー。
【発明の詳細な説明】
【技術分野】
【０００１】
本発明は、ドアを開けた状態に維持するストッパーに係り、特にドア枠とドアのヒンジ側の隙間に挟み込んで使用するドアストッパーに関する。
【背景技術】
【０００２】
ドアストッパーは、ドアを開けた状態に維持するときに使用する治具である。ドアストッパーは、種々の形状のものが提案されている。例えば、一般的な形状のドアストッパーとしては、ドアの下端縁にクサビ状の治具を挟み込み、床面との摩擦力で固定する方式、ドアを開いた状態で、壁又は床に取り付けられた固定用のフックをドア側に掛け止めて固定する方式がある。
【０００３】
また、ドアには、これを自動的に閉じるクローザー（自動閉装置）が取り付けられている場合も多い。クローザーは、ドアの開動作で蓄えられたエネルギーでドアの自動閉鎖を行う装置である。クローザーにはドアを全開状態とすると、ドアを開けた状態に維持する機能を有するものがある。
【０００４】
更に、ドア開閉の支点部分、即ちヒンジ周辺とドア枠との間に治具を入れて固定する方式も提案されている。このようなヒンジ周辺に障害物を入れて固定するドアストッパーに関する技術としては、例えば特許文献１の特開２００７−１９８１０３号公報「ドアストッパー」のように、三角柱体から成る固定部と横断面がひし形から成る挿入部、固定部と挿入部を貫通する引き紐から構成され、室内片開きドアを開いた際、挿入部をドアとドア枠との隙間にある蝶番の上端に挿入し、引き紐を引っ張ることにより挿入部を隙間幅より広く変形させて楔を確実にし、又固定部によってドアの動きを妨げることで、ドアの開放状態が保てるドアストッパーが提案されている。
【特許文献１】特開２００７−１９８１０３号公報
【０００５】
また、特許文献２の実用新案登録第３０８２０６４号公報「ドアをストップさす治具」のように、ドアを開く際ドア蝶番側のドア側面とドア外枠内側面との間にドア開き角度の大小によって生じる隙間に各々寸法の異なる対面する６面を有した治具を差し込み治具の個々の面を用い開き角度を６通りに変化させドアをストップさせる治具
が提案されている。
【特許文献２】実用新案登録第３０８２０６４号公報
【発明の開示】
【発明が解決しようとする課題】
【０００６】
しかし、特許文献１のドアストッパーは、ストッパーをドアとドア枠の間に固定する機構が複雑で壊れやすかった。ストッパーがドアに密着しているが、ドアとドア枠の隙間の幅が違うときは、ドアを開方向へ少し動かした場合に壊れやすかった。また、ドア自体に重量がある場合、開方向に動かすときにも壊れ易く、開方向又は閉方向に力がかかると引き紐が緩みストッパーが外れやすいという問題を有していた。
【０００７】
特許文献２のドアをストップさす治具は、クローザー付きのドアでないとストッパー自体を取り付けることが困難であった。また、ドアが開方向に少し動いただけで外れやすいという問題を有していた。
【０００８】
本発明は、かかる問題点を解決するために創案されたものである。すなわち、本発明の目的は、ドア枠とドアのヒンジ側の隙間に簡単な形状の治具を挟み込むことで、この隙間に容易に取付け、取外すことができ、しかもこの隙間から外れづらく、ドアの開状態を確実に維持することができるドアストッパーを提供することにある。
【課題を解決するための手段】
【０００９】
本発明は、ドア（２）開閉を支持するヒンジ（３）側のドア枠（４）とドア（２）との隙間に、挟み込むドアストッパー（１）であって、前記ドア（２）を開けた際に形成される該ドア（２）の縦方向の端縁と、前記ドア枠（４）の縦方向の端縁の隙間の間隔より薄い板状のストッパー本体（５）と、前記ストッパー本体（５）に形成した、前記ドア枠（４）の端縁に接し、固定する第１固定部（６）と、前記ストッパー本体（５）の第１固定部（６）の対角位置に形成した、前記ドア（２）の端縁に接し、固定する第２固定部（７）と、から成り、前記ドア（２）とドア枠（４）の隙間に、前記ストッパー本体（５）を縦向きに差し込み、差し込んだ状態で水平に回転させ、該第１固定部（６）をドア枠（４）の端縁に、第２固定部（７）をドア（２）の端縁にそれぞれに密着固定させ得るように構成したことを特徴とする。
【００１０】
前記ストッパー本体（５）に、可動自在に軸支した可動棒状部材（３３）を、該軸支部（３４）の弾性材により前記ドア（２）又はドア枠（４）の端縁に向けて付勢し、該可動棒状部材（３３）とこれが接するドア（２）又はドア枠（４）との摩擦力で該ストッパー本体（５）の落下を防止する落下防止構造（３２）を設けることができる。
前記ストッパー本体（５）の第１固定部（６）又は第２固定部（７）に、前記ドア枠（４）の端縁に接する面に、出没自在になりかつ突出長を調節し得る調節用ボス（４２）を設けることができる。
【発明の効果】
【００１１】
本発明では、ドアストッパー（１）をドア枠（４）とドア（２）のヒンジ（３）側の隙間に挟み込むことにより、ドア（２）を開けた状態に維持することができる。このドアストッパー（１）は、この隙間に縦向きに差し込み、そこで水平に回転させ、両固定部（６，７）をドア（２）の端縁とドア枠（４）の端縁に容易に密着固定させることができる。そこで、このドアストッパー（１）は、この隙間から外れづらく、ドア（２）の開状態を確実に維持することができる
また、ドアストッパー（１）は、隙間に密着固定した状態から回転させるだけで容易に外すことができる。このように容易に取扱うことができ、その構造も簡単であるために破損しづらい。
【００１２】
ドアストッパー（３１）は、落下防止構造（３２）を設けることにより、ドア（２）の隙間から不用意に落下することを防止でき、より安全に使用することができる。
ドアストッパー（４１）は、調節用ボス（４２）を設けることにより、同一寸法のドア（２）だけでなく、隙間の間隔が異なる別寸法のドア（２）にも使用することができ、汎用性が高い。
【図面の簡単な説明】
【００１３】
【図１】実施例１のドアストッパーを示す拡大斜視図である。
【図２】実施例１のドアストッパーを挟み込んだ状態のドアを示す斜視図である。
【図３】実施例１のドアストッパーを挟み込んだ状態のドアを示す要部平面図である。
【図４】実施例１のドアストッパーをドアの隙間に挟み込む状態を示す要部斜視図であり、（ａ）は隙間に差し込む状態、（ｂ）は回転させる状態、（ｃ）は密着固定した状態である。
【図５】実施例１のドアストッパーをドアに挟み込む状態を示す平面図であり、（ａ）は隙間に差し込む状態、（ｂ）は回転させる状態、（ｃ）は密着固定した状態である。
【図６】実施例２のドアストッパーを示す全体斜視図である。
【図７】実施例２のドアストッパーを挟み込んだ状態を示すドアの要部平面図であり、（ａ）はドアストッパーをドア枠に向けて挟み込んだ状態、（ｂ）はドアストッパーをドアに向けて挟み込んだ状態である。
【図８】実施例３のドアストッパーを示し、（ａ）は平面図、（ｂ）は正面図である。
【図９】実施例３のドアストッパーを示す要部平面図であり、（ａ）は隙間に差し込む前の状態、（ｂ）は落下防止構造の棒状部材を狭めている状態、（ｃ）隙間には固定した状態である。
【図１０】実施例４のドアストッパーを示す斜視図である。
【図１１】実施例４のドアストッパーをドアに挟み込んだ状態を示す要部平面図である。
【発明を実施するための最良の形態】
【００１４】
本発明のドアストッパーは、ドアとドア枠の隙間に縦向きに差し込み、差し込んだ状態で水平に回転させ、２箇所の固定部をドア枠とドアの端縁それぞれに密着固定させ得るように構成した治具である。
【実施例１】
【００１５】
以下、本発明の好ましい実施の形態を図面を参照して説明する。
図１は実施例１のドアストッパーを示す拡大斜視図である。図２は実施例１のドアストッパーを挟み込んだ状態のドアを示す斜視図である。図３は実施例１のドアストッパーを挟み込んだ状態のドアを示す要部平面図である。
実施例１のドアストッパー１は、ドア２の開閉を支持するヒンジ３側のドア２とドア枠４との隙間に挟み込む治具である。このドアストッパー１は、ドア２を開けた際に形成されるドア２とドア枠４との隙間に差し込める板状のストッパー本体５からなる。このストッパー本体５に、ドア枠４に接し、固定する第１固定部６と、その対極する位置にドア２に接し、固定する第２固定部７とを形成した。ここで第１固定部６と第２固定部７と定義したのは便宜的なものである。ドアストッパー１は、後述するように差込み方に応じて、逆に第１固定部６をドア２に、第２固定部７をドア枠４に接し、固定するように挟み込むことができるからである。
【００１６】
ストッパー本体５は、ドア２を開けた際に形成されるドア２の縦方向の端縁と、ドア枠４の縦方向の端縁の隙間の間隔より薄い板状の部材である。但し、ある程度の厚みがないと、このような隙間に挟み込んでいる際に外れやすい。そこで、板厚は１ｃｍから２ｃｍ程度は必要である。
【００１７】
ドアストッパー１は、ドア２とドア枠４の上下方向の途中に挟み込むものであるために、それ自体が重いと自重で落下するおそれがある。また、ドア２下方の位置にあると取付けと取外しが煩雑になる。そこで、ストッパー本体５は軽量の部材が好ましい。但し、ドア枠４とドア２と隙間に挟み込むので、クローザー２３が取り付けられているドア２では、閉方向による押圧力に耐えられる程度の強度は必要である。そこで、ストッパー本体５は、例えば木製又は合成樹脂製の板材が適している。なお、金属でも中空に形成したものであればよい。
【００１８】
ストッパー本体５に形成した第１固定部６は、図３に示すように、ドア枠４の角端縁に２面が接し、固定する角部である。このようにドア枠４の角端縁の２面に接するようにして外れづらくするためである。
【００１９】
実施例１のドアストッパー１は、ストッパー本体５に形成した第２固定部７は、ドア２の角端縁に２面が接し、固定する面を有する。これは勿論ドア２の角端縁の２面に接するようにして外れづらくするためである。
【００２０】
ドア２を開状態に固定できる開角度は、これらの第１固定部６と第２固定部７との相対する位置関係で決める。図３に示すように、図示例は約９０度のドア２の開角度になるように第１固定部６と第２固定部７と組み合わせている。例えば、図３において、第２固定部７の角度やや右方向へ傾斜して形成すれば、ドア２の開角度は９０度より狭くなる。逆に第２固定部７の角度やや左方向へ傾斜して形成すれば、ドア２の開角度は９０度より広くなる。勿論、第１固定部６の角度を傾斜させることでも同様の効果を得ることができる。
【００２１】
実施例１のドアストッパー１は、平面視で２枚の長方形状の部材をずらした状態で組み合わせた形状をしている。第１固定部６と第２固定部７との相対する位置関係が決められていれば、図示例の形状に限定されず、第１固定部６と第２固定部７以外の場所は丸みを有する形状、その他の形状にすることができる。
【００２２】
図４は実施例１のドアストッパーをドアの隙間に挟み込む状態を示す要部斜視図であり、（ａ）は隙間に差し込む状態、（ｂ）は回転させる状態、（ｃ）は密着固定した状態である。図５は実施例１のドアストッパーをドアに挟み込む状態を示す平面図であり、（ａ）は隙間に差し込む状態、（ｂ）は回転させる状態、（ｃ）は密着固定した状態である。
実施例１のドアストッパー１をドア２に挟み込む動作を説明する。先ず、図４（ａ）と図５（ａ）に示すように、ドアストッパー１を、ドア２とドア枠４の隙間に、第１固定部６から縦向きに差し込む。ドアストッパー１はドア２の上下方向の中間位置に差し込むことが好ましい。その取付け、取外しが容易だからである。
【００２３】
次ぎに、図４（ｂ）と図５（ｂ）に示すように、差し込んだ状態でドアストッパー１を略水平になるように回転させる。回転させて取り付けることによりドアストッパー１をドア２とドア枠４の隙間に強固に取り付けることができる。
【００２４】
最後に、図４（ｃ）と図５（ｃ）に示すように、第１固定部６をドア枠４の端縁に、第２固定部７をドア２の端縁にそれぞれに密着固定させる。これでドアストッパー１のドア２への挟み込む動作が完了する。
取り外すときは、上述した動作を逆の順番でおこなえばよい。
【００２５】
なお、ドアストッパー１を第２固定部７から縦向きに差し込むことも勿論可能である。このときは、ドアストッパー１を、ドア２の長手方向に平行になるように隙間に差し込む。
【００２６】
このように、実施例１のドアストッパー１をドア２のヒンジ３周辺の隙間に容易に挟み込むことができ、不用意に外れないので、ドア２の開状態を確実に維持することができる。また、ドアストッパー１は回転させればそこから容易に取り外すことができる。
【実施例２】
【００２７】
図６は実施例２のドアストッパーを示す全体斜視図である。
実施例２のドアストッパー２１は、基本的には実施例１のものと略同様であるが、ストッパー本体５に形成した第１固定部６には、ドア枠４又はドア２の角端縁に接する２面を有する。しかし、第２固定部２２にはドア２又はドア枠４の端縁に接する１面のみ有する点が異なる。
【００２８】
ドア２にクローザー２３が取り付けられていれば、ドア２は自動的に閉じる方向に押圧力が作用する（図２参照）。そこで、このように略Ｌ字形状の簡単な形状でも隙間から外れづらくなる。
【００２９】
図７は実施例２のドアストッパーを挟み込んだ状態を示すドアの要部平面図であり、（ａ）はドアストッパーをドア枠に向けて挟み込んだ状態、（ｂ）はドアストッパーをドアに向けて挟み込んだ状態である。
実施例２のドアストッパー２１は、図７（ａ）に示すように、ドア２とドア枠４の隙間に、第１固定部６から縦向きに差し込む。次ぎに、差し込んだ状態でドアストッパー２１を略水平になるように回転させる。回転させて取り付けることにより、第１固定部６をドア枠４の角端縁に、第２固定部７をドア２の端縁にそれぞれに密着固定させる。これでドアストッパー２１のドア２への挟み込む動作が完了する。取り外すときは、上述した動作を逆の順番でおこなえばよい。
【００３０】
図７（ｂ）に示すように、ドアストッパー２１を第１固定部６からドア２の長手方向と略平行かつ縦向きに差し込むこともできる。このときも差し込んだ状態でドアストッパー２１を略水平になるように回転させ、第１固定部６をドア２の角端縁に、第２固定部２２をドア枠４の端縁にそれぞれに密着固定させる。
【実施例３】
【００３１】
図８は実施例３のドアストッパーを示し、（ａ）は平面図、（ｂ）は正面図である。
実施例３のドアストッパー３１は、ストッパー本体５に落下防止構造３２を設けた。この落下防止構造３２は、ストッパー本体５の略中心に支点となる軸支部３３を設け、この軸支部３３に板ばねのような弾性材（図示していない。）により可動棒状部材３４が特定方向に、即ちドア２又はドア枠４の端縁に向けて付勢される。この可動棒状部材３４の先端がストッパー本体５の周縁より外方へ飛び出す。可動棒状部材３４は固定棒状部材３５と共に握って操作する。可動棒状部材３４の先端がドア２またはドア枠４の端縁に当たりドアストッパー３１の落下を防止する。図示例は実施例２のドアストッパーに落下防止構造３２を設けたものを示し、第１固定部６と第２固定部２２とを有する。勿論、実施例１のドアストッパーに落下防止構造３２を設けることも可能である。
【００３２】
図９は実施例３のドアストッパーを示す要部平面図であり、（ａ）は隙間に差し込む前の状態、（ｂ）は落下防止構造の棒状部材を狭めている状態、（ｃ）隙間には固定した状態である。
実施例３のドアストッパー３１は、図９（ａ）に示すように、ドア２とドア枠４の隙間に、ドアストッパー３１を第１固定部６から縦向きにする。次ぎに、図９（ｂ）に示すように、差し込む際に可動棒状部材３４は固定棒状部材３５と共に握って狭める。図９（ｃ）に示すように、差し込んだ状態でドアストッパー３１を略水平になるように回転させる。このとき同時に可動棒状部材３４は弾性材の付勢力により、ドア２の端縁に当たり落下防止機能を奏する。そこで、ドアストッパー３１はドア２の隙間から不用意に落下することがない。取り外すときは、上述した動作を逆の順番でおこなえばよい。
【実施例４】
【００３３】
図１０は実施例４のドアストッパーを示す斜視図である。図１１は実施例４のドアストッパーをドアに挟み込んだ状態を示す要部平面図である。
実施例４のドアストッパー４１は、第２固定部７に調節用ボス４２を２箇所設けた。ドア２を開けた際に形成されるドア２とドア枠４との隙間はドア２の形状、特にヒンジ３の寸法に応じて異なる。そこで、ドアストッパー４１の汎用性を高めるために、調節用ボス４２を設けた。図示例は実施例１のドアストッパーに調節用ボス４２を設けたものを示し、第１固定部６と第２固定部７とを有する。勿論、実施例２のドアストッパーに調節用ボス４２を設けることも可能である。
【００３４】
この調節用ボス４２は、第２固定部７に、ドア枠４の角端縁に接する各面に、出没自在になりかつ突出長を調節することができるボスである。この調節用ボス４２は突起部とねじ部とから成り、このねじ部をストッパー本体５に面方向に開けたねじ孔に螺合させたものである。
【００３５】
調節用ボス４２は、第２固定部７に限らず、第１固定部６に設けることもできる。あるいは、第１固定部６と第２固定部７との２か所に設けることも可能である。
【００３６】
なお、本発明は上述した発明の実施の形態に限定されず、ドア２とドア枠４のヒンジ３側の隙間に簡単な形状のドアストッパー１，２１，３１，４１を挟み込むことで、この隙間に容易に取付け、取外すことができ、しかもこの隙間から外れづらく、ドア２の開状態を確実に維持することができれば、図示したような構成に限定されず、本発明の要旨を逸脱しない範囲で種々変更できることは勿論である。
【産業上の利用可能性】
【００３７】
本発明のドアストッパーは、ビルの防火用ドア、家庭用のドアの何れにおいても利用することができる。
【符号の説明】
【００３８】
１  ドアストッパー
２  ドア
３  ヒンジ
４  ドア枠
５  ストッパー本体
６  第１固定部
７  第２固定部
２１  ドアストッパー
２２  第２固定部
３１  ドアストッパー
３２  落下防止構造
３３  可動棒状部材
４１  ドアストッパー
４２  調節用ボス
【図１】
2011058336.tif 000003
【図２】
2011058336.tif 000004
【図３】
2011058336.tif 000005
【図４】
2011058336.tif 000006
【図５】
2011058336.tif 000007
【図６】
2011058336.tif 000008
【図７】
2011058336.tif 000009
【図８】
2011058336.tif 000010
【図９】
2011058336.tif 000011
【図１０】
2011058336.tif 000012
【図１１】
2011058336.tif 000013